(57)【特許請求の範囲】
【請求項１】
開口部を有し前記開口部を通じて挿入された物体を引っ掛けるフック本体と、前記フック本体の開口部を閉じるアームとを備え、前記フック本体は、前記フック本体内に引っ掛けられた前記物体の前方への落下を防止する前受け部を有し、前記アームは、アーム付勢手段により前記フック本体の外へ向けて変位するように付勢されると共に前記変位を規制されることにより前記開口部を閉じる一方、前記アーム付勢手段の付勢力に抗して前記フック本体内へ押し込まれることにより前記開口部を開口して前記物体の前記フック本体内への挿入を許容するフックであって、
前記フック本体は、前記アーム付勢手段により付勢された前記アームを上方から係止して前記アームの変位を規制することにより前記開口部を閉じるラッチを有し、前記ラッチは、前記前受け部に前記前受け部の上方及び下方に向けて摺動自在に取り付けられ、ラッチ付勢手段により前記前受け部の上方に向けて変位するように付勢される一方、前記ラッチ付勢手段の付勢力に抗して前記前受け部の下方に変位することにより、前記ラッチ付勢手段により前記アームを係止するアーム規制位置に存在するように付勢される一方、前記ラッチ付勢手段の付勢力に抗して前記アーム規制位置から変位することにより前記アームの係止を解除して、前記アームが前記アーム付勢手段の付勢力により前記フック本体外に変位して前記開口部を開放することを許容し、
前記ラッチは、前記開口部へ向かって延びるように設けられたストッパ部を有し、前記ストッパ部の下面は、前記アームの係止部を上方から係止し、
前記アームは、前記フック本体外に変位した状態から、前記ラッチに上方から係合して前記ラッチを前記ラッチ付勢手段による付勢力に抗して前記アーム規制位置から変位させるように押し下げながら前記フック本体内へ押し込まれた後に解放されることにより、前記アームによる押し込みから解放されて前記ラッチ付勢手段により元のアーム規制位置に戻ったラッチに下方から係合して係止され、前記開口部を閉じる位置に復帰することを特徴とするフック。
【請求項２】
請求項１に記載されたフックであって、前記ラッチは、前記前受け部に形成された長孔内を摺動することができる摺動部材を有し、前記摺動部材が前記前受け部の長孔内を摺動することにより、前記前受け部に対して前記前受け部の上方及び下方に向けて摺動可能に変位することができ、前記ラッチ付勢手段は、通常では、前記ラッチの摺動部材を前記長孔の最上部に位置するように付勢して、前記ラッチを前記前受け部に沿って下方に下げるだけで、前記アームを前記フック本体外へ変位させて開口部を開放することができることを特徴とするフック。
【請求項３】
請求項１又は請求項２のいずれかに記載されたフックであって、前記アームの係止部は、前記前受け部の前記開口部側の面よりも前記前受け部の前面側の位置で前記ストッパ部の下面に係止される係止部であることを特徴とするフック。
【発明の詳細な説明】
【技術分野】
【０００１】
本発明は、壁面等に取り付けられて、例えば、バッグの肩掛け紐や手持ち部の物体を引っ掛けて保持するためのフックの改良に関し、特に、物体の落下を確実に防止するとともにフック内部のスペースを効果的に使用することができるフックに関するものである。
【背景技術】
【０００２】
例えば、バッグの肩掛け紐や手持ち部等の長尺状の物体を引っ掛けて、バッグ等を吊り下げるために、壁面に取り付けられたフックが使用されることがある。このフックは、開口部からフック本体内に物体を挿入して、物体を引っ掛けて保持する。この場合、引っ掛けられた物体がフックから外れて落下しないように、フックの開口部を閉じるアームが設けられることがある（例えば、特許文献１参照）。
【０００３】
このアーム１４は、図６に示すように、アーム付勢手段１８により通常ではフック本体１２の外へ向けて変位するように付勢される一方、フック本体１２の先端に設けられたストッパ３０によって、この変位が規制されることにより、フック本体１２の開口部１６を閉鎖して、挿入された物体１の落下を防止する機能を有する。一方で、このアーム１４は、図６に示すように、引っ掛けるべき物体１をアーム１４に押し付けることにより、アーム付勢手段１８の付勢力に抗してフック本体１２内へ押し込まれて、開口部１６を開
口し、この物体１のフック本体１２内への挿入を許容するものである。
【０００４】
この場合、従来は、図６に示すように、アーム１４は、ストッパ３０によりフック本体１２の外側への変位が規制されていたため、フック本体１２の内側に向けてしか変位することができなかった。このため、アーム１４は、フック本体１２内に物体１がない場合や少ない場合、あるいは、物体１が小径である場合には、図６（Ｂ）に示すように、フック本体１２内を自由に変位して、確実に開口部１６を閉鎖して物体１の落下を防止することができたが、一方で、特に、引っ掛けるべき物体１が多数となった場合や大径の物体１の場合には、物体１がアーム１４を押しながらフック本体１２内に挿入される関係上、アーム１４が物体１に押される形でフック本体１２内に留まり、元の閉鎖位置にまで復帰することができず、開口部１６が開放されたままの状態となり、その結果、とりわけ落下の防止が望まれる多数の物体や大径の物体１を引っ掛けた場合には、その落下を確実に防止することができなくなる問題があった。
【０００５】
一方で、アーム１４の変位を確保することにより、アーム１４により開口部１６を閉鎖して物体１の落下を防止することを優先しようとすると、フック１０に引っ掛けるべき物体１の数が制限されることになり、フック本体１２内の保持スペースを有効に活用することができなくなる問題が生じる。即ち、従来のフック１０では、アーム１４による物体１の落下を確実に防止するためには、フック本体１２内にアーム１４の変位を維持するためのスペースを確保しなければならず、結果として、その分だけフック本体１２内にデッドスペースが生じていた。
【０００６】
また、従来のフック１０では、アーム１４がフック本体１２の内側へ向けてしか揺動できなかったため、フック本体１２内に吊り下げられた物体１を取り出すためには、アーム１４を内側へ押し込んで開口部１６を開放して、その状態（アーム１４を押し込んだ状態）を維持したままで、取り出し作業を行わなければならず、手間が掛かる問題もあった。
【先行技術文献】
【特許文献】
【０００７】
【特許文献１】意匠登録第１３２０５１６号公報
【発明の概要】
【発明が解決しようとする課題】
【０００８】
本発明が解決しようとする課題は、上記の問題点に鑑み、フック内部のスペースを効果的に活用して多数の物体や大径の物体を保持することを可能としつつ、引っ掛けられた物体の落下を確実に防止することができる一方、引っ掛けられた物体を簡易に取り出すこともできるフックを提供することにある。
【課題を解決するための手段】
【０００９】
本発明は、上記の課題を解決するための第１の手段として、開口部を有しこの開口部を通じて挿入された物体を引っ掛けるフック本体と、このフック本体の開口部を閉じるアームとを備え、フック本体は、フック本体内に引っ掛けられた物体の前方への落下を防止する前受け部を有し、アームは、アーム付勢手段によりフック本体の外へ向けて変位するように付勢されると共に変位を規制されることにより開口部を閉じる一方、アーム付勢手段の付勢力に抗してフック本体内へ押し込まれることにより開口部を開口して物体のフック本体内への挿入を許容するフックであって、フック本体は、アーム付勢手段により付勢されたアームを上方から係止してアームの変位を規制することにより開口部を閉じるラッチを有し、このラッチは、前受け部に前受け部の上方及び下方に向けて摺動自在に取り付けられ、ラッチ付勢手段により前受け部の上方に向けて変位するように付勢される一方、ラッチ付勢手段の付勢力に抗して前受け部の下方に変位することにより、ラッチ付勢手段によりアームを係止するアーム規制位置に存在するように付勢される一方、ラッチ付勢手段の付勢力に抗してアーム規制位置から変位することによりアームの係止を解除して、アームがアーム付勢手段の付勢力によりフック本体外に変位して前記開口部を開放することを許容し、ラッチは、開口部へ向かって延びるように設けられたストッパ部を有し、このストッパ部の下面は、アームの係止部を上方から係止し、アームは、フック本体外に変位した状態から、ラッチに上方から係合してラッチをラッチ付勢手段による付勢力に抗してアーム規制位置から変位させるように押し下げながらフック本体内へ押し込まれた後に解放されることにより、アームによる押し込みから解放されてラッチ付勢手段により元のアーム規制位置に戻ったラッチに下方から係合して係止され、開口部を閉じる位置に復帰することを特徴とするフックフックを提供するものである。
【００１０】
本発明は、上記の課題を解決するための第２の手段として、上記第１の解決手段において、ラッチは、前受け部に形成された長孔内を摺動することができる摺動軸を有し、この摺動軸が前受け部の長孔内を摺動することにより、前受け部に対して前受け部の上方及び下方に向けて摺動可能に変位することができ、ラッチ付勢手段は、通常では、ラッチの摺動軸を長孔の最上部に位置するように付勢して、ラッチを前受け部に沿って下方に下げるだけで、アームをフック本体外へ変位させて開口部を開放することができることを特徴とするフックを提供するものである。
【００１１】
本発明は、上記の課題を解決するための第３の手段として、上記第１又は第２のいずれかの解決手段において、アームの係止部は、前受け部の開口部側の面よりも前受け部の前面側の位置でストッパ部の下面に係止される係止部であることを特徴とするフックを提供するものである。
【発明の効果】
【００１２】
本発明によれば、上記のように、ラッチによりアームの係止を解除して、アームをフック本体外へ変位させることができるため、アームをフック本体内へ大きく変位させることなくフック本体内に多数の物体や大径の物体を挿入して保持することができると共に、引っ掛けられた物体を簡易に取り出すこともできる実益がある。
【００１３】
一方で、本発明によれば、上記のように、フック本体外へ変位したアームを押し下げるだけで同時にラッチも押し下がり、ラッチがアームとの接触から外れると元の位置に復帰し、アームも通常の開口部を閉鎖する状態に簡易に復元するため、多数の物体や大径の物体を挿入した後であっても、開口部を適切に閉鎖して、挿入された物体の落下を確実に防止することができると共に、フック本体から物体を取り出した後も、簡易に元の状態に復帰させることができる実益がある。
【００１４】
この場合、本発明によれば、上記のように、ラッチを、フック本体のうち手前に位置する前受け部に摺動自在に設けているため、操作しやすく、かつ、フックの外観を損なうことなく、アームの変位を制御することができ、また、ラッチを前受け部に沿って下方に下げるだけで、アームをフック本体外へ変位させて簡易に開口部を開放することができる実益がある。
【図面の簡単な説明】
【００１５】
【図１】本発明のフックにバッグを引っ掛けた状態の斜視図である。
【図２】本発明のフックの斜視図である。
【図３】図３は、本発明のフックを示し、同図（Ａ）は右側面から見たフックの縦断面図、同図（Ｂ）は同図（Ａ）におけるＡ−Ａ線断面図、同図（Ｃ）はフックの正面図、同図（Ｄ）は左側面から見たフックの縦断面図、同図（Ｅ）はフックの背面図、同図（Ｆ）はフックの平面図、同図（Ｇ）はフックの底面図である。
【図４】本発明のフックに用いられるラッチの先端部とアームの選択分の拡大断面図である。
【図５】本発明のフックの動作状態を示す縦断面図である。
【図６】図６は従来のフックを示し、同図（Ａ）はその斜視図、同図（Ｂ）はその側面図、同図（Ｃ）はその縦断面図である。
【発明を実施するための形態】
【００１６】
本発明を実施するための形態を図面を参照しながら詳細に説明すると、図１及び図５は本発明のフック１０を示し、このフック１０は、図１に示すように、壁面等に取り付けられて、例えば、バッグの肩掛け紐や手持ち部等の、特に長尺状の物体１を引っ掛けて保持するために使用される。この引っ掛ける物体１は、フック１０に引っ掛けることができれば特に限定されることはなく、他に、例えば、図示しないハンガー等を挙げることができる。このフック１０は、図２乃至図５に示すように、物体１を引っ掛けるフック本体１２と、アーム１４とを備えている。
【００１７】
（１．フック本体）
フック本体１２は、図２乃至図５に示すように、壁面等に取り付けられる取付部１２Ａと、引っ掛けるべき物体１を吊り下げて下方から支持する吊り下げ部１２Ｂと、フック本体１２内に引っ掛けられた物体１の前方への落下を防止する前受け部１２Ｃとを備え、取付部１２Ａと前受け部１２Ｃとの間に開口部１６を有している。フック本体１２は、特に、図３及び図５に示すように、この開口部１６を通じてフック本体１２内へ挿入された物体１を引っ掛ける。
【００１８】
但し、このフック本体１２の形状には特に限定はなく、特に、前受け部１２Ｃは、図示の実施の形態のように、前受け部１２Ｃの先端が上方に向けて延びるように形成されたものに限定されず、例えば、縦断面形状が略Ｖ字状のように、斜め上方に向けて延びるように形成された前受け部１２Ｃであってもよい。この意味において、同様に、フック本体１２は、少なくとも取付部１２Ａ及び前受け部１２Ｃを有し、物体１を引っ掛けることができれば、物体１を受け止める吊り下げ部１２Ｂは必ずしもなくてもよく、取付部１２Ａと前受け部１２Ｃとにより物体１を受け止める形態とすることもできる。
【００１９】
（２．アーム）
一方、アーム１４は、図１乃至図５に示すように、フック本体１２の取付部１２Ａの上端側から開口部１６を閉鎖するように延びて配置されると共に、取付部１２Ａに揺動自在に取り付けられている。従って、アーム１４は、図２及び図５に示すように、フック本体１２の取付部１２Ａに対して揺動することができ、特に図２（Ａ）、図３（Ａ）、図４、図５（Ａ）に示すように、フック本体１２の開口部１６に跨る位置にあるときに、開口部１６を閉じることができ、これにより、図１及び図３（Ａ）に示すように、フック本体１２内に挿入された物体１がフック１０から外れて落下するのを防止することができる。
【００２０】
このアーム１４は、図２、図３及び図５に示すように、アーム付勢手段１８により通常ではフック本体１２の外へ向けて変位するように付勢されている。従って、アーム１４は、自由状態では、図２（Ｃ）、図５（Ｄ）に示すように、フック本体１２の外側に位置するように設定されている。
【００２１】
このアーム付勢手段１８としては、例えば、図２、図３及び図５に示すように、アーム部を有するトーションばね（ねじりコイルばね）１８Ａを使用することができ、このトーションばね１８Ａの一方のアーム部がフック本体１２の取付部１２Ａに、他方のアーム部がアーム１４の内面に係合されることにより、トーションばね１８Ａの復元力によって、アーム１４をフック本体１２の外へ向けて変位するように付勢している。従って、このアーム付勢手段１８であるトーションばね１８Ａは、特に図５（Ｄ）に示すように、通常では、その両方のアーム部が略直線状に並ぶような形状に設定されている。
【００２２】
このアーム１４は、図２乃至図５に示すように、後述するフック本体１２のラッチ２０により、その変位が規制されることにより開口部１６を閉じる。この場合、特に、図４に示すように、アーム１４の先端には、開口部１６に臨む位置に配置されたラッチ２０の先端に係止することができる係止部１４ａを有し、この係止部１４ａが、図３（Ａ）に示すように、ラッチ２０に下方から係合してラッチ２０に係止されることにより、アーム１４のフック本体１２の外側へ向けて変位が規制されて、開口部１６を閉鎖し、フック本体１２内に保持された物体１の落下を防止することができる。
【００２３】
一方、アーム１４は、図２（Ａ）、（Ｄ）、図５（Ｂ）に示すように、アーム付勢手段１８であるトーションばね１８Ａの付勢力に抗してフック本体１２内へ押し込まれることにより開口部１６を開口して物体１のフック本体１２内への挿入を許容する。従って、特に図５（Ｂ）に示すように、フック１０に引っ掛けるべき物体１を、アーム１４に上方から押し付けるだけで、アーム１４がフック本体１２内へ揺動して、物体１をフック本体１２により吊り下げることができる。
【００２４】
（３．ラッチ）
本発明では、フック本体１２は、図１乃至図５に示すように、アーム付勢手段１８により付勢されたアーム１４を係止してアーム１４の変位を規制することにより開口部１６を閉じるラッチ２０を有している。このラッチ２０は、図３乃至図５に示すように、先端に開口部１６へ向けて突出したストッパ部２０ａを有し、このストッパ部２０ａは、アーム１４の揺動の軌跡上のアーム規制位置にまで進出して、アーム１４の係止部１４ａと係合することができる。即ち、ラッチ２０は、このストッパ部２０ａにより、図４に示すように、通常では、アーム１４のストッパとしての役割を果たす。
【００２５】
このラッチ２０は、図３及び図５に示すように、フック本体１２の前受け部１２Ｃに取り付けられ、この前受け部１２Ｃに対して変位することができる。具体的には、ラッチ２０は、図３（Ａ）及び図５（Ａ）に示すように、ラッチ付勢手段２２により開口部１６に臨んでアーム１４を係止するアーム規制位置に存在するように（図１乃至図５に示す実施の形態においては上方に向けて）付勢されている。従って、ラッチ２０は、自由状態においては、図３（Ａ）、図４、図５（Ａ）に示すように、上方へ変位しようとして前受け部１２Ｃよりも上方においてアーム１４の係止部１４ａを係止することができる位置（アーム規制位置）に存在して、アーム１４のストッパとしての役割を果たす。
【００２６】
一方、ラッチ２０は、図３（Ｄ）、図５（Ｃ）に示すように、ラッチ付勢手段２２の付勢力に抗してアーム規制位置から変位することにより（図１乃至図５に示す実施の形態においては下方に変位することにより）、アーム１４の係止を解除し、図５（Ｄ）、（Ｅ）に示すように、アーム１４がアーム付勢手段１８であるトーションばね１８Ａの付勢力によりフック本体１２外に変位して開口部１６を開放することを許容することができる。
【００２７】
この場合、ラッチ２０は、フック本体１２の前受け部１２Ｃに、摺動自在に取り付けることができる。具体的には、ラッチ２０は、図１乃至図５に示す実施の形態においては、特に図３（Ｄ）、図５（Ｃ）に示すように、前受け部１２Ｃに形成された長孔２４内を摺動することができる摺動軸２０ｂを有し、この摺動軸２０ｂが前受け部１２Ｃの長孔２４内を摺動することにより、前受け部１２Ｃに対して摺動可能に変位することができる（スライド式）。
【００２８】
この図１乃至図５に示す実施の形態においては、ラッチ付勢手段２２として、図３及び図５に示すように、コイルばね（圧縮コイルばね）２２ａが使用され、このコイルばね２２ａは、前受け部１２Ｃ内に設置されて、下端が前受け部１２Ｃに支持される一方、上端がラッチのばね受け２０ｃに下方から当接している。このコイルばね２２ａは、前受け部１２Ｃの長孔２４よりも長い自然長を有し、通常では、ラッチ２０の摺動軸２０ｂを、図３（Ａ）及び図５（Ａ）に示すように、長孔２４の最上部に位置するように付勢する。これにより、ラッチ２０はアーム規制位置にまで進出し、ラッチ２０のストッパ部２０ａが、アーム１４の係止部１４ａを係止して、アーム１４の変位を規制することができる。
【００２９】
一方で、図３（Ｄ）及び図５（Ｃ）に示すように、ラッチ２０を下方に押し下げて、このコイルばね２２ａを圧縮させながら、摺動軸２０ｂを長孔２４内の下方に押し下げることにより、ラッチ２０の先端のストッパ部２０ａも、同時にアーム１４の係止部１４ａを下方に押し下げてアーム１４をフック本体１２内に向けて若干揺動させ、やがて、ストッパ部２０ａが、アーム１４の揺動の軌道から外れると、図２（Ｃ）及び図５（Ｄ）に示すように、アーム１４は、ラッチ２０による規制から開放されて自由状態となり、アーム付勢手段１８であるトーションばね１８Ａの付勢力により、フック本体１２の外側へ変位して、開口部１６を開けることができる。
【００３０】
このため、ラッチ２０を下方に下げるだけで、アーム１４をフック本体２０外へ変位させて簡易に開口部１６を開放することができ、その結果、アーム１４をフック本体１２の内側へ大きく変位させることなくフック本体１２内に多数の物体１や大径の物体１を挿入して保持することができると共に、吊り下げられた物体１を取り出す場合にも簡易に開口部を開放して容易に取り出すこともできる。即ち、本発明のフック１０は、アーム１４をフック本体１２の内側へ向けて変位させるだけでなく、外側へ変位させることによっても、開口部１６を開放することができる点で、デッドスペースを解消する上で有益である。
【００３１】
また、このようにしてフック本体１２外にまで変位したアーム１４は、フック本体１２の内側へ向けて押すだけで、ラッチ２０により、簡単に元の開口部１６を閉鎖する状態に復元することができる。具体的には、アーム１４は、図５（Ｄ）に示すように、フック本体２０外に変位した状態から、図５（Ｅ）に示すように、下方に押し下げることにより、その係止部１４ａが、ラッチ付勢手段２２により通常の位置に（上方に付勢された位置に）存在するラッチ２０に上方から係合する。即ち、アーム１４がフック本体１２の外側に位置する場合には、ラッチ２０が、アーム１４の軌道上において、今度は逆にアーム１４のフック本体１２内への揺動を規制する位置に存在することになる。
【００３２】
この状態から、アーム１４を更に押し込むことにより、アーム１４は、ラッチ付勢手段２２の付勢力に抗してラッチ２０をアーム規制位置から更に下方に押し下げながら、同時に自らもフック本体１２内へ押し込まれる。その後、ラッチ２０のストッパ部２０ａが、アーム１４の揺動の軌道上から外れると、ラッチ２０がアーム１４による押し込みから解放されて再び元のアーム１４を規制するアーム規制位置に戻ると共に、アーム１４も再び自由状態となり、下方への押し込みを解除することによりアーム付勢手段１８であるトーションばね１８Ａによって上方へ付勢され、アーム１４の係止部２０ａが、再度、ラッチ２０のストッパ部２０に下方から係合して係止され、図３（Ａ）及び図５（Ａ）示す元の開口部１６を閉鎖する位置に復帰する。
【００３３】
このように、フック本体１２外へ変位したアーム１４を押し下げるだけで同時にラッチ２０も押し下がり、ラッチ２０がアーム１４との接触から外れると元の位置に復帰し、アーム１４も通常の開口部１６を閉鎖する状態に簡易に復元するため、多数の物体１や大径の物体１を挿入した後であっても、開口部１６を適切に閉鎖して、挿入された物体１の落下を確実に防止することができ、また、フック本体１２から物体１を取り出した後も、簡易に元の状態に復帰させることができる。
【００３４】
（４．使用状態）
次に、本発明のフック１０の使用状態を、図５を参照しながら説明すると、フック１０は、図５（Ａ）に示す通常の位置から、フック本体１２内へ物体１を挿入し吊り下げるために、図５（Ｂ）に示すように、挿入すべき物体１によりアーム１２をフック本体１２の内側へ向けて押し込み、開口部１６を通じて、フック本体１２内へ挿入する。その後、物体１による押し込みから解放されたアーム１４は、アーム付勢手段１８であるトーションばね１８Ａの付勢力により、図５（Ａ）に示す状態に復帰して、開口部１６を閉じて、物体１の落下を防止する。
【００３５】
この場合、更に、多数の物体１をフック本体１２に引っ掛ける場合、あるいは、物体１が、フック本体１２内のスペースをほぼ埋めるような大径の物体１である場合には、図５（Ｃ）に示すように、ラッチ２０を押し下げてアーム１４の係止を解除して、図５（Ｄ）に示すように、アーム１４をフック本体１２の外側へ変位させて開口部１６を開放し、多数の物体１や大径の物体１をフック本体１２内へ挿入する。即ち、本発明のフック１０は、アーム１４フック本体１２の内外いずれに変位させることによっても、開口部１６を開けて物体１を挿入することができるため、特にフック本体１２内にアーム１４が揺動するためのスペースを別途確保しなくても、物体１を挿入することができ、物体１の挿入量や大きさに応じて、有効にスペースを活用することができる。
【００３６】
その後は、図５（Ｅ）に示すように、アーム１４を再び開口部１６を閉じる位置に復帰させることにより、開口部１６が閉鎖され、フック本体１２に吊り下げられた物体１のフック本体１２からの脱落を防止することができる。なお、図５（Ｃ）から図５（Ｅ）に示す操作は、フック本体１２から、引っ掛けた物体１を取り出す場合にも、対応することができるものであり、物体１の円滑な取り出しを実現することができる。
【産業上の利用可能性】
【００３７】
本発明は、特に、例えば、壁面等に取り付けられて、バッグ等を引っ掛けて保持することに適しているほか、広くその他の物体の吊り下げに適用することができる。
【符号の説明】
【００３８】
１０ フック
１２ フック本体
１２Ａ 取付部
１２Ｂ 吊り下げ部
１２Ｃ 前受け部
１４ アーム
１４ａ 係止部
１６ 開口部
１８ アーム付勢手段
１８Ａ トーションばね
２０ ラッチ
２０ａ ストッパ部
２０ｂ 摺動軸
２０ｃ ばね受け
２０ｄ 揺動軸  
２２ ラッチ付勢手段
２２ａ コイルばね
２４ 長孔
【図１】
0005925333.tif 000002
【図２】
0005925333.tif 000003
【図３】
0005925333.tif 000004
【図４】
0005925333.tif 000005
【図５】
0005925333.tif 000006
【図６】
0005925333.tif 000007